(57)【要約】  本発明は、ユーザの関連情報を記録および管理するためのユーザインターフェースを提供する方法、サーバーおよびコンピュータ読み取り可能な記録媒体に関するものである。本発明の一実施例によると、ユーザの関連情報を記録および管理するためのユーザインターフェースを提供する方法において、(ａ)時系列的意味を含んでいる基準線を提供する段階、(ｂ)ユーザによって新規の履歴または新規の目標に対する入力が完了すると、前記履歴または前記目標に関連する時系列的開始点または時系列的終了点に関する情報を取得する段階、および、(ｃ)前記取得された時系列的開始点または時系列的終了点に関する情報を参照して、これに対応する前記基準線上のポイントまたは前記ポイントの近くに前記履歴または前記目標と関連した内容が入力されたことを表示するための基本入力内容の存在表示領域をディスプレーする段階を含む方法が提供される。【選択図】図２
2017504882.tif 000002
【特許請求の範囲】
【請求項１】
ユーザの関連情報を記録および管理するためのユーザインターフェースを提供する方法において、
(ａ)時系列的意味を含む基準線を提供する段階と、
(ｂ)ユーザによって新規の履歴または新規の目標に関する入力が完了すると、前記履歴または前記目標に関連する時系列的開始点または時系列的終了点に関する情報を取得する段階と、
(ｃ)前記取得された時系列的開始点または時系列的終了点に関する情報を参考にして、これに対応する前記基準線上のポイントまたは前記ポイントの近くに前記履歴または前記目標と関連した内容が入力されたことを表示するための基本入力内容の存在表示領域をディスプレーする段階と、を含む。
【請求項２】
(ｄ)前記ディスプレーされた基本入力内容の存在表示領域に対する選択があることが感知されると、前記選択された基本入力内容の存在表示領域に応じて記録されている、前記履歴または前記目標に関する詳細内容を提供する段階をさらに含む、請求項１に記載の方法。
【請求項３】
前記基本入力内容の存在表示領域は、前記履歴の特性カテゴリに応じて、これに対応する視覚的な効果を持ちながらも差別されるようにして、ディスプレーされるようにすることを特徴とする、請求項１に記載の方法。
【請求項４】
前記基本入力内容の存在表示領域は、前記履歴の特性カテゴリに応じて、該当領域内の色を異なってディスプレーされるようにすることを特徴とする、請求項３に記載のユーザインターフェースを提供する方法。
【請求項５】
前記基本入力内容の存在表示領域は、前記履歴の特性カテゴリの上位概念および下位概念に応じて、該当領域の枠の色と該当領域内の色を異なってディスプレーされるようにすることを特徴とする、請求項４に記載の方法。
【請求項６】
(ｅ)特定履歴に関する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーする段階をさらに含むことを特徴とする、請求項１に記載の方法。
【請求項７】
前記(ｅ)段階は、前記特定履歴に属する従属履歴に対する入力が完了した後、前記特定履歴に関する基本入力内容の存在表示領域に対する選択があることが感知されると、前記特定履歴と関連する前記基本入力内容の存在表示領域の近くに、前記従属履歴と関連した内容が入力されたことを表示するための従属入力内容の存在表示領域をディスプレーすることを特徴とする、請求項６に記載の方法。
【請求項８】
前記特定履歴に関する基本入力内容の存在表示領域および前記特定履歴に属する従属履歴に関する従属入力内容の存在表示領域は、同一の視覚的効果を持つことをデフォルトとするが、前記特定履歴に該当する特性カテゴリに応じて、これに対応する視覚的な効果を持ちながらも、他の特性カテゴリを持つ領域とは差別されるようにしてディスプレーされるようにすることを特徴とする、請求項６に記載の方法。
【請求項９】
前記特定履歴に関する基本入力内容の存在表示領域および前記特定履歴に属する従属履歴に関する従属入力内容の存在表示領域は、前記特定履歴に該当する特性カテゴリに応じて、該当領域内の色を他の特性カテゴリを持つ領域と差別されるようにしてディスプレーされるようにすることを特徴とする、請求項８に記載の方法。
【請求項１０】
前記特定履歴と関連する基本入力内容の存在表示領域および前記特定履歴に属する従属履歴と関連する従属入力内容の存在表示領域は、前記特定履歴に該当する特性カテゴリの上位概念および下位概念に応じて、該当領域の枠の色と該当領域内の色とを、他の特性カテゴリを持つ領域と差別されるようにしてディスプレーされるようにすることを特徴とする、請求項９に記載の方法。
【請求項１１】
前記特定履歴と関連する基本入力内容の存在表示領域および前記特定履歴に属する従属履歴と関連する従属入力内容の存在表示領域の内、前記特定履歴に関する証明書類を添付していない領域については、残りの前記特定履歴に関する基本入力内容の存在表示領域および従属入力内容の存在表示領域とは異なる視覚的効果を示すようにディスプレーすることを特徴とする、請求項８に記載の方法。
【請求項１２】
(ｆ)前記基本入力内容の存在表示領域および前記従属入力内容の存在表示領域のそれぞれに対応する履歴と関連して、該当する履歴を証明するためのコンテンツを添付することができるユーザインターフェースを提供する段階をさらに含むことを特徴とする、請求項６に記載の方法。
【請求項１３】
前記ユーザによって入力された履歴または目標の中、前記ユーザによって選択されたｎ個の履歴または目標については、重要な履歴または重要な目標であることを示すための視覚的な表示を示すようにしてディスプレーできることを特徴とする、請求項1に記載の方法。
【請求項１４】
前記ユーザによって選択されたｎ個の履歴または目標については、周期的に該当基本入力内容の存在表示領域が点滅する効果を示すようにするか、該当履歴または目標の詳細内容上の重要部分にハイライトで効果を示すようにしてディスプレーすることを特徴とする、請求項１３に記載の方法。
【請求項１５】
前記基準線を基準にして一方には、学業、職場、およびこれらと関連する目標に関する基本入力内容の存在表示領域がディスプレーされるようにし、前記基準線を基準にして他方には、学業、職場、およびこれらと関連する目標を除いた履歴および目標に関する基本入力内容の存在表示領域がディスプレーされるようにすることを特徴とする、請求項１に記載の方法。
【請求項１６】
特定履歴に対する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーするが、前記基準線を基準にして同一側にディスプレーされるようにすることを特徴とする、請求項１５に記載の方法。
【請求項１７】
前記ユーザの履歴と関連した内容を入力できるようにするユーザインターフェースを提供する画面を、前記基準線および前記基本入力内容の存在表示領域がディスプレーされる画面とは異なる別の画面として提供するが、前記ユーザの履歴と関連した内容を入力できるようにするユーザインターフェースを提供する画面により入力された情報から、前記履歴に関する時系列的開始点または時系列的終了点に関する情報を取得することを特徴とする、請求項１に記載の方法。
【請求項１８】
前記基本入力内容の存在表示領域および前記従属入力内容の存在表示領域が全くない状態でも、前記基準線はディスプレーされており、それとともに内容が空いている状態の格子形の単位領域が互いに繋がっている形態でディスプレーされていることを特徴とする、請求項６に記載の方法。
【請求項１９】
前記基本入力内容の存在表示領域および前記従属入力内容の存在表示領域が生成されるときに、前記生成される基本入力内容の存在表示領域および従属入力内容の存在表示領域に該当する履歴または目標に関する時系列的開始点または時系列的終了点に対する情報を参考にして決定される特定単位領域により、前記基本入力内容の存在表示領域および前記従属入力内容の存在表示領域がディスプレーされるようにすることを特徴とする、請求項１８に記載の方法。
【請求項２０】
前記ディスプレーされている格子形の単位領域の画面状態において、前記ユーザによって選択される特定単位領域により前記基本入力内容の存在表示領域および前記従属入力内容の存在表示領域がディスプレーされるようにすることを特徴とする、請求項１８に記載の方法。
【請求項２１】
前記単位領域のそれぞれは六角形の形を有し、互いに隣接する単位領域と密着した形でディスプレーされることを特徴とする、請求項１８に記載の方法。
【請求項２２】
前記新規の目標に関する入力が完了すると、前記入力された目標に対応する基本入力内容の存在表示領域には、前記目的がまだ達成していないことを視覚的に表示する効果がディスプレーされることを特徴とする、請求項１に記載の方法。
【請求項２３】
前記目標に関する基本入力内容の存在表示領域が生成されると、ｋ回にわたって編集する権限を与えるが、削除権限は与えないことを特徴とする、請求項１に記載の方法。
【請求項２４】
ユーザの関連情報を記録および管理するためのユーザインターフェースをユーザ端末に提供するためのサーバーにおいて、
時系列的な意味を含む基準線およびユーザによって新規の履歴または新規の目標と関連した内容が入力されたことを表示するための基本入力内容の存在表示領域を、前記基準線と連動して表示するためのテンプレートを提供するテンプレート提供部と、
前記ユーザにより新規の履歴または新規の目標に関する入力が完了すると、前記履歴または前記目標に関する時系列的開始点または時系列的終了点に対する情報を取得する時間端緒獲得部と、
前記ユーザにより新規の履歴または新規の目標に関する入力が完了すると、前記時間端緒獲得部によって取得された時系列的開始点または時系列的終了点に関する情報を参考にして、これに対応する前記基準線上のポイントまたは前記ポイントの近くに前記履歴または前記目標と関連した内容が入力されたことを表示するための基本入力内容の存在表示領域を前記テンプレート提供部によって提供される、前記テンプレートの基準に基づいてディスプレーするユーザ情報公開部と、を含むことを特徴とする、サーバー。
【請求項２５】
前記ユーザ情報公開部は、
前記履歴の特性カテゴリ別に前記基本入力内容の存在表示領域がそれぞれ差別される視覚的効果を持ちながらディスプレーされるようにすることを特徴とする、請求項２４に記載のサーバー。
【請求項２６】
前記ユーザ情報公開部は、
前記履歴の特性カテゴリ別に前記基本入力内容の存在表示領域の色を異なってディスプレーされるようにすることを特徴とする、請求項２５に記載のサーバー。
【請求項２７】
前記ユーザ情報公開部は、特定履歴に関する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーすることを特徴とする、請求項２４に記載のサーバー。
【請求項２８】
前記ユーザ情報公開部は、
前記特定履歴に関する基本入力内容の存在表示領域および前記特定履歴に属する従属履歴に関する従属入力内容の存在表示領域を同一の視覚的効果を持つようにしてディスプレーすることをデフォルトとするが、前記特定履歴に該当する特性カテゴリに応じて、これに対応する視覚的な効果を持ちながらも、他の特性カテゴリを持つ領域とは差別されるようにしてディスプレーされるようにすることを特徴とする、請求項２７に記載のサーバー。
【請求項２９】
前記ユーザ情報公開部は、
前記特定履歴に関する基本入力内容の存在表示領域および前記特定履歴に属する従属履歴に関する従属入力内容の存在表示領域を前記特定履歴に該当する特性カテゴリに応じて、該当領域内の色を他の特性カテゴリを持つ領域と差別されるようにしてディスプレーされるようにすることを特徴とする、請求項２８に記載のサーバー。
【請求項３０】
前記ユーザ情報公開部は、
前記基準線を基準にして一方には、学業、職場、およびこれらと関連する目標に関する基本入力内容の存在表示領域がディスプレーされるようにして、前記基準線を基準にして他方には、学業、職場、およびこれらと関連する目標を除く履歴および目標に関する基本入力内容の存在表示領域が表示されるようにすることを特徴とする、請求項２４に記載のサーバー。
【請求項３１】
前記テンプレートを提供部は、
前記基本入力内容の存在表示領域および前記従属入力内容の存在表示領域が全く生成されていない状態でも、前記基準線がディスプレーされるようにしており、それとともに、内容が空いている状態の格子形の単位領域がディスプレーされるようにしていることを特徴とする、請求項２７に記載のサーバー。
【請求項３２】
前記ユーザ情報公開部は、
前記ディスプレーされている格子形の単位領域の画面状態で、前記ユーザによって選択される特定単位領域に前記基本入力内容の存在表示領域および前記従属入力内容の存在表示領域が生成されるようにすることを特徴とする、請求項３１に記載のサーバー。
【請求項３３】
請求項１乃至２３のいずれか１項に記載の方法を実行するためのコンピュータプログラムを記録するコンピュータ読み取り可能な媒体。
【発明の詳細な説明】
【技術分野】
【０００１】
本発明は、ユーザの関連情報を記録および管理するためのユーザインターフェース(Ｕｓｅｒ  Ｉｎｔｅｒｆａｃｅ)を提供する方法、サーバーおよびコンピュータ読み取り可能な記録媒体に関する。より具体的には、ユーザにより新規の履歴または新規の目標に関する入力が完了すると、前記履歴または前記目標に関連された時系列的開始点または時系列的終了点に対する情報を取得して、時系列的情報に対応する基準線上のポイントまたは前記ポイントの近辺に前記履歴または前記目標と関連した内容が入力されたことを表示するための基本入力内容の存在表示領域をディスプレーすることで、個々人の履歴情報を視覚的に一目で分りやすくして、効率よく表示するためのユーザインターフェースを提供する方法、サーバーおよびコンピュータ読み取り可能な記録媒体に関する。
【背景技術】
【０００２】
一般的に、企業で人材を採用するためには、求人広告を自社のホームページなどに掲載する。これにより多数の応募者から履歴書を受け付けて検討した後、その検討結果により一連の対面面接を実施して自社が求めた人材を最終的に採用するという流れになる。
【０００３】
しかし、このような従来のシステム下で、企業側は志願者が恣意的に作成した履歴書だけを検討するため、もし、応募者側の履歴書に虚偽の事実が記載されていても、このような事を速やかに事前に認知することができなくなり、結局それに伴う損失をそのまま受け入れざるを得なくなる。
【０００４】
特に履歴書には、自己紹介文、経歴、学歴などだけが単純に記載されるのが一般的なので、企業側としでは人材を採用して一定の期間に直接勤務させてみるまでは、具体的な力量(例えば、業務遂行能力、道徳性、誠実性、周りの同僚との調和能力、人格の完成度、組織適応性など)はもちろん、人材採用に必要な様々な客観的付加情報(例えば、前職の実際の退職事由など)も全く把握できないため、結局は不良社員の採用による各種の損失をそのまま受け入れるしかない。韓国公開特許第１０‐２０１２‐０１３８４９４号（特許文献１）は前述した問題点を解決するために、「ソーシャル認証を利用した履歴書管理装置および方法」を提案しているが、特許文献１によっても信頼性のより高いユーザ情報を提供することはできるが、そのためには別の認証手続きを受けなければならない煩わしさがある。
【０００５】
さらに、従来の履歴書およびそれによる採用システムにおいて、より重要な短所は、その人材の履歴などがテキスト形式で膨大に記載されているため、企業の担当者は数多い履歴書を一つ一つ読んで判断するのが難しいということであった。従って、沢山の人材の中で優秀な人を選び出すのがなかなか難しいことである。
【先行技術文献】
【特許文献】
【０００６】
【特許文献１】韓国公開特許第１０‐２０１２‐０１３８４９４号
【発明の概要】
【発明が解決しようとする課題】
【０００７】
本発明は、前述した問題点をすべて解決することをその目的とする。
【０００８】
また、本発明はユーザの履歴事項を表示することにおいて、時系列的な意味を含んでいる基準線、基本入力内容の存在表示領域などを視覚的にディスプレーされるようにすることで、ユーザの全体的な履歴事項を一目瞭然に把握できるようにすることを他の目的とする。
【０００９】
また、本発明は既に入力された目標を削除できる権限をユーザに与えないことで、ユーザが状況に合わせて履歴事項を作成したり変更したりするのを防止することを他の目的とする。
【００１０】
また、本発明はユーザが入力した履歴または目標を証明できるコンテンツを添付できるようにすることにより、ユーザ情報に対して信頼性を高めることをまた他の目的とする。
【課題を解決するための手段】
【００１１】
本発明の第１技術的特徴によると、ユーザの関連情報を記録および管理するためのユーザインターフェースの提供方法において、(ａ)時系列的意味を含む基準線を提供する段階、(ｂ)ユーザによって新規の履歴または新規の目標に対する入力が完了したら、前記履歴または前記目標に関連する時系列的開始点または時系列的終了点に対する情報を取得する段階および(ｃ)前記取得された時系列的開始点または時系列的終了点に対する情報を参考にして、これに対応される前記基準線上のポイントまたは前記ポイントの周りに前記履歴または前記目標と関連した内容が入力されたことを表示するための基本入力内容の存在表示領域をディスプレーする段階を含む方法を提案する。
【００１２】
次に、本発明の第２技術的特徴によると、ユーザの関連情報を記録および管理するためのユーザインターフェースをユーザ端末に提供するためのサーバーにおいて、時系列的な意味を含む基準線およびユーザによって新規履歴または新規目標と関連した内容が入力されたことを表示するための基本入力内容の存在表示領域を前記基準線と連動して表示するためのテンプレート(ｔｅｍｐｌａｔｅ)を提供するテンプレート提供部、前記ユーザにより新規履歴または新規目標に対する入力が完了すると、前記履歴または前記目標に関連する時系列的開始点または時系列的終了点の情報を取得する時間端緒獲得部および前記ユーザにより新規の履歴または新規の目標に対する入力が完了したら、前記時間端緒獲得部によって獲得された時系列的開始点または時系列的終了点に関する情報を参考にして、これに対応する前記基準線上のポイントまたは前記ポイント近方に前記履歴または前記目標と関連した内容が入力されたことを表示するのための基本入力内容の存在表示領域を、前記テンプレート提供部によって提供される前記テンプレートの基準によりディスプレーするユーザ情報公開部(ユーザ情報露出部)を含むサーバーを提案する。
【発明の効果】
【００１３】
本発明によると、ユーザの履歴事項を表示することで時系列的な意味を含んでいる基準線、基本入力内容の存在表示領域などによりユーザの履歴を非常に直観的にディスプレーすることによって、企業の管理者などがユーザの履歴事項を非常に簡単かつ正確に把握するようにできる。
【００１４】
また、本発明によると、既に入力された目標を削除できる権限をユーザに与えないことで、ユーザが状況に合わせて履歴事項を変更作成することを防止できる。
【００１５】
また、本発明によると、ユーザが入力した履歴や目標を証明できるコンテンツを添付できるようにすることによってユーザ情報に対する信頼性を高めることができる。
【図面の簡単な説明】
【００１６】
【図１】図１は、本発明の一実施例に係る、ユーザの関連情報を記録および管理するためのシステム全体の概略的な構成を示す図である。
【図２】図２は、本発明の一実施例に係るサーバーの内部構成を詳細に示す図である。
【図３】図３は、本発明の一実施例に係るユーザに提供されるテンプレート上に基本入力内容の存在表示領域及び従属入力内容の存在表示領域が生成されたことを例示的に説明するための図である。
【図４】図４は、本発明の一実施例に係るユーザの履歴と関連した内容を入力できるようにするユーザインターフェースを例示的に示した図である。
【図５】図５は、本発明の一実施例に係るユーザの履歴と関連した内容を入力できるようにするユーザインターフェースを例示的に示した図である。
【図６】図６は、図５に図示された特定の履歴に対応してディスプレーされた基本入力内容の存在表示領域および従属入力内容の存在表示領域を例示的に説明するための図である。
【図７】図７は、本発明の一実施例に係る基本入力内容の存在表示領域または従属入力内容の存在表示領域に対する選択があることが感知された場合を例示的に説明するための図である。
【発明を実施するための形態】
【００１７】
後述する本発明の詳細な説明は、本発明が実施できる特定の実施例を例示として示す添付図面を参照する。これらの実施例は当業者が本発明を実施できるように十分に詳しく説明される。本発明の様々な実施例は互いに異なるが、相互排他的である必要は無いことは理解されるべきである。例えば、ここに記載されている特定の形状、構造および特性は一実施例に関連して本発明の思想や範囲を逸脱することなく他の実施例としても実現可能である。また、それぞれの開示された実施例内の個別の構成要素の位置または配置は本発明の思想や範囲を逸脱しない範囲内で変更できることが理解されるべきである。従って、後述する詳細な説明は限定した意味で取るものではなく、本発明の範囲が適切に説明されれば、その請求項が主張することと均等なすべての範囲とともに添付の請求項のみにより限定される。図面で類似する参考符号は、様々な面において同一または類似の機能を指し示す。
【００１８】
以下、本発明が属する技術分野で通常の知識を有する者が本発明を容易に実施できるようにするために、添付図面を参照して本発明の好適な実施例について詳細に説明する。
【００１９】
図１は、本発明の一実施例に係るユーザの関連情報を記録および管理するためのシステム全体の概略的な構成を示す図である。
【００２０】
図１に図示すように、本発明の一実施例に係るシステム全体は、通信網、ユーザの端末装置およびサーバーを含んで構成できる。
【００２１】
まず、本発明の一実施例に係る通信網１００は、有線または無線通信の状態で構成することができ、ＷＡＮ(Wide Area Network)、ＬＡＮ(Local Area Network)、移動通信網、人工衛星通信網など様々な通信網として構成できる。より具体的には、本発明でいう通信網１００はＩＥＥＥ８０２.１１、ＣＤＭＡ(Code Division Multiple Access)、ＷＣＤＭＡ(Wideband Code Division Multiple Access)、ＧＳＭ(GlobalSystem for Mobile Communications)、ＬＴＥ(Long TermEvolution)などの技術によって実現される無線通信網を含むこともできる。しかし、通信網１００は、あえてこれに限定される必要はなく、公知の有・無線データ通信網、公知の電話網または公知の有・無線テレビ通信網をその少なくとも一部において含むこともできる。
【００２２】
次に、本発明の一実施例に係るサーバー２００は通信網を介してユーザの端末装置３００からユーザの関連情報、特に、ユーザの履歴または目標と関連した内容を受信して、ユーザの端末装置３００に時系列的順序を意味する基準線を提供し、ユーザの履歴や目標に関連する基本入力内容の存在表示領域または従属入力内容の存在表示領域が表示される領域である単位領域を含むテンプレートを提供する機能を実行することができる。ここで、基本入力内容の存在表示領域は、ユーザの基本的な履歴として既存の履歴とは異なる新たな履歴に対する入力が追加される際に生成される領域であり、従属入力内容の存在表示領域は、既存の入力された所定の基本的な履歴に従属される細部履歴に対する入力が追加される際に生成される領域を意味する。
【００２３】
本発明に係るサーバー２００の構成と機能については以下の詳細な説明により詳しく検討する。
【００２４】
一方、本発明の一実施例に係るユーザ端末装置３００は、サーバーに接続した後、通信できる機能を含むデジタル機器として、デスクトップコンピュータ、ノートパソコン、ワークステーション、ＰＤＡ、ウェーブパッド(ＷａｖｅＰａｄ)、携帯電話などのように、メモリ機能を備えて、マイクロプロセッサを搭載して演算能力を備えたデジタル機器であれば、如何なるものでも本発明に係るユーザ端末装置３００として採用できる。特に、ユーザ端末装置３００には、サーバー２００が提供するユーザの関連情報を記録および管理するためのインタフェースの提供を受けるようにするブラウザ(Ｂｒｏｗｓｅｒ)関連プログラムを含んでもよい。
【００２５】
以下では、本発明に係るサーバーの内部構成と各構成要素の機能について検討して見ることにする。
【００２６】
図２は本発明の一実施例に係るサーバー２００の内部構成を詳細に示す図である。
【００２７】
図２に示したように、本発明の一実施例に係るサーバー２００は、テンプレート提供部２１０、時間端緒獲得部２２０、ユーザ情報公開部２３０、データベース２４０、通信部２５０および制御部２６０を含んで構成できる。ここで、提供部２１０、時間端緒獲得部２２０、ユーザ情報公開部２３０、データベース２４０、通信部２５０および制御部２６０が全部サーバー２００に物理的に含まれるべきではなく、サーバー２００と連動する外部に位置することもあり得る。一方、本発明の一実施例によると、テンプレート提供部２１０、時間端緒獲得部２２０、ユーザ情報公開部２３０、データベース２４０、通信部２５０および制御部２６０は、その中の少なくとも一部がユーザの端末装置３００と通信するプログラムモジュールであってもよい。このようなプログラムモジュールはオペレーティングシステム、応用プログラムモジュールまたはその他のプログラムモジュールの形でサーバー２００に含まれることができ、物理的には様々な公知の記憶装置に格納することもできる。また、このようなプログラムモジュールはユーザの端末装置３００と通信可能なリモート記憶装置に格納することもできる。一方、このようなプログラムモジュールは、本発明により後述する特定の業務を果たしたり特定の抽象データの類型を実行するルーチン、サブルーチン、プログラム、オブジェクト、コンポーネント、データ構造などを包括するが、これに限定されない。
【００２８】
まず、本発明の一実施例に係るテンプレート提供部２１０は、時系列的な意味を含む基準線および単位領域(図３および図６などでは単位領域が六角形であることを例示として想定する)が表示されたテンプレートがユーザの端末装置３００にディスプレーされるようにすることができる。本明細書において単位領域は、ユーザの履歴または目標が入力された場合、ユーザの履歴または目標が入力されたことを表示するための基本入力内容の存在表示領域または従属入力内容の存在表示領域がディスプレーされる基本レイアウトの役割ができる。
【００２９】
テンプレート提供部２１０は基本入力内容の存在表示領域および従属入力内容の存在表示領域が全く生成されていない状態では(つまり、まだユーザによって履歴または目標が入力されていない状態では)、基準線および内容が空いている単位領域だけがディスプレーされるようにして、ユーザの履歴または目標に関する内容が入力されるたびに、これに対応する特定の単位領域により基本入力内容の存在表示領域または従属入力内容の存在表示領域がディスプレーされるようにすることができる。特定の単位領域に基本入力内容の存在表示領域または従属入力内容の存在表示領域がディスプレーされることについては、以下で詳細に検討して見ることにする。
【００３０】
一方、テンプレート提供部２１０は、複数の単位領域を画面上にディスプレーされるようにすることにおいて、格子状の単位領域が互いに接している形状でディスプレーされるようにできる。例えば、単位領域のそれぞれは六角形の形状を有し、互いに隣接する単位領域と密着した形でディスプレーされるようにできる。
【００３１】
テンプレート提供部２１０は、基準線および複数の単位領域を含むテンプレートを提供するだけでなく、基本入力内容の存在表示領域および従属入力内容の存在表示領域それぞれに対応する履歴または目標に関連して、該当する履歴または目標を証明するためのコンテンツを添付できるユーザインターフェースおよびユーザの履歴または目標と関連した内容を入力できるようにするユーザインターフェースをさらに提供することもできる。
【００３２】
次に、本発明の一実施例に係る時間端緒獲得部２２０は、ユーザによって新規の履歴または新規の目標に対する入力が完了すると、入力された新規の履歴または目標に関連する時系列的開始点または時系列的終了点に対する情報を探して、これを獲得する機能を実行できる。時間端緒獲得部２２０で取得した時系列的情報は、後述するユーザ情報公開部２３０でディスプレーする基本入力内容の存在表示領域または従属入力内容の存在表示領域が位置するテンプレート上の単位領域を特定するために使用できる。
【００３３】
一方、本明細書で新規の履歴または目標に関連する時系列的開始点または終了点とは、新規の履歴が実行された期間と関連したものでもよく、例えば、入力される新規の履歴がユーザの学歴である場合、学業を履修した時間と関連するものであり得る。また、新規の目標が入力された場合、目標に関連する時系列的情報とは、目標設定時点またはユーザが希望する目標達成時点と関連するものであり得る。
【００３４】
次に、ユーザ情報公開部２３０は、ユーザによって新規の履歴または新規の目標に対する入力が完了すると、入力された新規の履歴または新規の目標に対する基本入力内容の存在表示領域をディスプレーする機能を実行できる。ユーザ情報公開部２３０は、基本入力内容の存在表示領域をディスプレーすることにおいて、時間端緒獲得部２２０で獲得した新規の履歴または目標に関連する時系列的開始点または時系列的終了点に関する情報を参照にして、これに対応する基準線上の時系列的ポイントまたは前記時系列的ポイント近方に配置された特定の単位領域に基本入力内容の存在表示領域が生成され、ディスプレーされるようにできる。ここで、新規の履歴または目標に対応する基本入力内容の存在表示領域が複数である場合、基準線の時系列的な情報を参照にして基本入力内容の存在表示領域が配置されてディスプレーされるようにできる。
【００３５】
また、ユーザ情報公開部２３０は、特定の履歴に対する基本入力内容の存在表示領域が生成された後、特定の履歴に属する従属履歴の入力が完了すると、特定の履歴に関連する基本入力内容の存在表示領域の近方に従属履歴と関連した内容が入力されたことを表示するための従属入力内容の存在表示領域をディスプレーする機能をさらに実行することもできる。例えば、ユーザが「Ａ」学校に入学した後、卒業したと言う特定の履歴が入力され、これに対応する基本入力内容の存在表示領域が生成された後、ユーザが「Ａ」学校に在学中行ったプロジェクトまたは受賞経歴に関する内容が特定履歴に属する従属履歴として入力された場合、基本入力内容の存在表示領域の近方に(例えば、基本入力内容の存在表示領域がディスプレーされるテンプレート内の所定の単位領域の近くに位置する別の単位領域を介して)従属入力内容の存在表示領域がディスプレーされるようにできる。また、後述するように、ユーザ情報公開部２３０は、履歴の特性カテゴリに応じて、基本入力内容の存在表示領域および従属入力内容の存在表示領域の色などを変えてディスプレーする機能を実行することもできる。
【００３６】
次に、本発明の一実施例に係るデータベース２４０には、ユーザが入力したユーザの履歴または目標に関連する内容などが格納できる。たとえ、図２においてデータベース２４０がサーバー２００に含まれて構成されるものと示されているが、本発明を実現する当業者の必要性に応じて、データベース２４０はサーバー２００とは別に構成することもできる。一方、本発明におけるデータベース２４０は、コンピュータ読み取りが可能な記録媒体を含む概念として、狭義のデータベースだけでなく、ファイルシステムに基づいたデータ記録などを含む広義のデータベースであってもよく、単純なログの集合であっても、これを検索してデータを抽出することができれば、本発明におけるデータベース２４０になり得る。
【００３７】
次に、本発明の一実施例に係る通信部２５０は、テンプレート提供部２１０、時間端緒獲得部２２０、ユーザ情報公開部２３０およびデータベース２４０からの/へのデータ送・受信またはユーザ端末装置３００とサーバー２００との間の通信が可能のようにする機能を実行することができる。
【００３８】
最後に、本発明の一実施例に係る制御部２６０は、テンプレート提供部２１０、時間端緒獲得部２２０、ユーザ情報公開部２３０、データベース２４０および通信部２５０間のデータの流れを制御する機能を実行できる。つまり、本発明に係る制御部２６０は、サーバー２００の外部からの/へのデータの流れまたはサーバー２００の各構成要素間のデータの流れを制御することにより、テンプレート提供部２１０、時間端緒獲得部２２０、ユーザ情報公開部２３０、データベース２４０および通信部２５０でそれぞれの固有機能を実行するように制御することができる。
【００３９】
以下では、図３乃至図７を参考にして、本発明の一実施例によって提供されるユーザインターフェースをより具体的に説明する。
【００４０】
図３は、本発明の一実施例に係るテンプレート上に基本入力内容の存在表示領域および従属入力内容の存在表示領域が位置する状態を例示的に説明するための図である。
【００４１】
図３を参考にすると、時系列的な意味を持つ基準線は参考番号３１０で表示されているが、必ずしも直線である必要はない。図３では、基準線３１０の最底部が当該ユーザの生まれた日を示し、基準線３１０に沿って上部方向に上がるほど時間が現在の時点に近づく。また、特定の時期に該当する履歴や目標などが入力される場合、該当基準線３１０の特定時期に該当する位置に近い単位領域により基本入力内容の存在表示領域３３０または従属入力内容の存在表示領域３４０がディスプレーされるようにできる。ここで、参考番号３２０はテンプレートに含まれている六角形の単位領域を意味して、基本入力内容の存在表示領域３３０は基準線３１０に最も近く位置する単位領域によりディスプレーされる領域として、基準線３１０に密着している領域がこれに該当するとともに、基準線３１０によって分断された六角形が位置する時系列的位置では、前記分断された六角形と密着している領域がこれに該当する。一方、このような基本入力内容の存在表示領域３３０に直接または間接的に繋がっている単位領域を介して、従属入力内容の存在表示領域３４０になる。
【００４２】
さらに図３を参照すると、ユーザの端末装置にディスプレーされるテンプレートは、基準線３１０、複数の単位領域３２０を含むことができる。ユーザの履歴または目標に関する情報が入力される前は、基準線３１０および内部が空いていることで視覚的効果が現れる複数の単位領域３２０のみが表示されることができ(もちろん、単位領域３２０が必ずしも画面上に表示されなければならないわけではない)、新規の履歴または目標に対する入力が完了したり、すでに生成された基本入力内容の存在表示領域に該当する履歴の従属履歴(つまり、細部履歴)と関連した内容が入力されたりすると、空いている状態の単位領域のうち、所定の適切な位置の単位領域に基本入力内容の存在表示領域３３０または従属入力内容の存在表示領域３４０が生成され得る。
【００４３】
より具体的に、ユーザによって新規の履歴または新規の目標に対する入力が完了したら、特定履歴または特定目的に対する基本入力内容の存在表示領域３３０をテンプレートによりディスプレーすることにおいて、前記基本入力内容の存在表示領域３３０に該当する履歴または目標に関連して時間端緒獲得部２２０によって取得される時系列的開始点または時系列的終了点に関する情報を参照にして決定される特定の単位領域を介してディスプレーされるようにできる。複数の基本入力内容の存在表示領域が配置されるべきである場合、それぞれの基本入力内容の存在表示領域に該当する履歴または目標と関連された時系列的開始点または時系列的終了点に関する情報を参照にして、基準線の時系列的な情報も一緒に参照にして、両方の時系列的な情報がマッチングする基準線の該当する位置に該当基本入力内容の存在表示領域をディスプレーすることで、複数の基本入力内容の存在表示領域が基準線の時系列的流れに沿って順次にディスプレーされるようにすることができる。ここで、ユーザにより新規の履歴または新規の目標に対する入力が完了されるプロセスの具体的な方法論を述べると、図３のようなユーザインターフェースとは別途の画面により提供される、図４および図５のようなユーザインターフェースにより自分の履歴または目標などについてテキストなどで入力する場合を想定することもでき、他の例として、図３のようなユーザインターフェースが提供される画面上にディスプレーされる、格子形に配列された複数の単位領域のうち、特定の単位領域をユーザが直接選択(例えば、マウスクリック)して自分の履歴または目標などに対する入力を試みる場合を想定することもできる。前者の場合、時間端緒獲得部２２０がユーザによって入力されたテキストなどを分析して時系列的開始点または時系列的終了点の情報を抽出した後、その抽出した情報を参考して決定される特定の単位領域を介してユーザ情報公開部２３０が基本入力内容の存在表示領域または従属入力内容の存在表示領域などをディスプレーできる。後者の場合、ユーザによって直接選択された特定の単位領域自体に時系列的位置情報(基準線のどの地点に近接している単位領域であるかによって、時系列的位置が決定される)が付与されているので、ユーザによって直接選択された当該特定の単位領域を介してユーザ情報公開部２３０が基本入力内容の存在表示領域または従属入力内容の存在表示領域などをディスプレーできる。ただし、本明細書では、主に前者の場合を想定して説明する。
【００４４】
一方、新規の目標に対する入力が完了する場合、入力された目標がまだ達成していない場合には、前記入力された目標に対応する基本入力内容の存在表示領域には、目標が達成してないことを視覚的に表示する効果がディルプレーされるようにできる(例えば、現在進行中の目標であることを示すために、該当の基本入力内容の存在表示領域全体が周期的に点滅する効果を出すようにすることもできる)。ちなみに、目標に対する基本入力内容の存在表示領域が生成されると、ｋ回にわたって編集する権限を付与するが、生成された目標を削除する権限は与えないようにすることで、ユーザが目標達成に失敗した後、該当目標を削除するなどの操作を防止することができる。
【００４５】
基本入力内容の存在表示領域３３０は、履歴の特性カテゴリに応じて、これに対応する視覚的な効果を持つようにすることで、他の特性カテゴリを有する基本入力内容の存在表示領域３３０と差別されるようにしてディスプレーすることがあり、図３に示すように、履歴の特性カテゴリに応じて該当領域内の色を変えてディスプレーされるようにできる。例えば、履歴の特性カテゴリの例としては、法曹カテゴリ、商業カテゴリ、学業カテゴリ、芸術・体育カテゴリ、デザインカテゴリ、メディアカテゴリ等を想定することができるが、必ずしもこのように区分されるべきものではない。このように、該当ユーザがとの特性カテゴリに該当する履歴などを入力するかに応じて、基本入力内容の存在表示領域３３０の色を変えてディスプレーされるようにできる。
【００４６】
一方、上記では特性カテゴリ別に該当領域内の色を変えてディスプレーする場合を想定して説明したが、該当領域の枠の色まで差別化する場合も考えられる。具体的には、基本入力内容の存在表示領域３３０は、履歴の特性カテゴリの上位概念および下位概念に応じて、該当領域の枠の色と該当領域内の色を異なってディスプレーされるようにできる。例えば、基本入力内容の存在表示領域の履歴が職場と関連している場合、基本入力内容の存在表示領域の枠の色は、ユーザの職場が属する産業群に応じて決定され、基本入力内容の存在表示領域内の色は、ユーザが前記職場で担当した細部職種を参考にして決定されるようにでき、場合によって色を決定する基準を異なって設定できることは言うまでもない。
【００４７】
一方、基本入力内容の存在表示領域３３０を公開させる単位領域を決定する事において、新規の履歴または目標の時系列的開始点または終了点に対する情報だけでなく、履歴または目標の特性カテゴリを参考にすることもできる。より具体的には、新規の履歴または目標の特性カテゴリに応じて、基本入力内容の存在表示領域３３０は、基準線３１０を基準に一方にディスプレーすることも、他方にディスプレーすることもできる。例えば、学業、職場に関する履歴やそれに関連する目標が入力される場合には、図３のような基準線３１０を基準にして右側にディスプレーされるようにできる。
【００４８】
逆に、学業、職場を除いた履歴、例えば、ボランティア活動、資格証、同好会の活動、芸術・体育活動などに関連した履歴および目標に対する基本入力内容の存在表示領域３３０は、図３のような基準線３１０の左側にディスプレーされるようにできる。
【００４９】
一方、基本入力内容の存在表示領域３３０がディスプレーされた後、基本入力内容の存在表示領域３３０の履歴の従属履歴に関する内容が新たに入力される場合、図３に示すように、基本入力内容の存在表示領域３３０の近くに、すなわち、基本入力内容の存在表示領域３３０と直接的に密着する単位領域または間接的に他の単位領域を経由して繋がっている単位領域に、従属入力内容の存在表示領域３４０がディスプレーされるようにできる。ここで、該当基本入力内容の存在表示領域３３０に従属する従属履歴の中、先に入力された従属履歴のほど、該当基本入力内容の存在表示領域３３０に近接した単位領域に露出するようにできるが、必ずしもこれに限られるわけではなく、例えば、一つの行(つまり、基準線３１０を基準にする場合、時系列的位置が同じ一行)にディスプレーされ得る従属入力内容の存在表示領域３４０の数を超えて従属履歴が入力されたら、該当基本入力内容の存在表示領域３３０が属する行のすぐ上またはすぐ下に新しい行を生成して、該当行に従属入力内容の存在表示領域３４０を追加でディスプレーされるようにもできる。この時、新しい行の生成に応じて基準線３１０の時系列的位置データを調整する必要がある。また、変形実施例として、特定履歴に属する従属履歴に対する入力が完了しても、すぐに従属入力内容の存在表示領域３４０をディスプレーしない場合を想定することもあるが、この場合には、前記特定履歴に関する基本入力内容の存在表示領域３３０に対する選択があることが感知された後で(例えば、基本入力内容の存在表示領域３３０にマウスをオーバーする行為やクリックする行為が感知された後から)、前記特定履歴に関する基本入力内容の存在表示領域３３０の近くに前記従属履歴と関連した内容が入力されたことを表示するための従属入力内容の存在表示領域３４０がディスプレーされるようにもできる。
【００５０】
ただし、前述したように、基本入力内容の存在表示領域３３０に対する履歴の特性カテゴリに応じて、基準線３１０を基準に一方にディスプレーすることもでき、他方にディスプレーすることもできるので、従属入力内容の存在表示領域３４０を露出することにおいて基本入力内容の存在表示領域３１０近くにディスプレーされるようにするが、基準線３１０を基準に基本入力内容の存在表示領域３３０と同一面にディスプレーされるようにできる。
【００５１】
特定履歴と関して、基本入力内容の存在表示領域３３０および従属入力内容の存在表示領域３４０の両方が生成された場合、基本入力内容の存在表示領域３３０および従属入力内容の存在表示領域３４０は、同じ視覚的効果を持つことをデフォルトとして、特定履歴に該当する特性カテゴリに応じて、これに対応する視覚的な効果を持ちながら、他の特性カテゴリを持つ領域と差別されるようにして、ディスプレーするようにできる。特に、本発明の一実施例によると、特定履歴に該当する特性カテゴリに応じて、該当領域内の色を他の特性カテゴリを持つ領域と差別されるようにしてディスプレーするようにできる。この時、特定履歴に該当する特性カテゴリの上位概念および下位概念に従い基本入力内容の存在表示領域３３０および従属入力内容の存在表示領域３４０の枠の色と、基本入力内容の存在表示領域３３０および従属入力内容の存在表示領域３４０の中の色とを、他の特性カテゴリを持つ領域と差別されるようにしてディスプレーするようにできることは前述した通りである。
【００５２】
一方、本発明の一実施例によると、テンプレート提供部２１０は、基本入力内容の存在表示領域３３０または従属入力内容の存在表示領域３４０のそれぞれに対応する履歴と関連して、該当する履歴を証明するためのコンテンツを添付できるユーザインターフェースを提供することができる。例えば、ユーザがデザイン関連業務の経験があり、これに関する履歴を入力した場合、前記ユーザインターフェースによってユーザが制作した作品の写真を添付して自分の履歴を証明することができる。
【００５３】
この時、基本入力存在の表示領域または従属入力存在の表示領域をディスプレーすることにおいて、特定履歴に関する証明書類を添付していない領域に付いては、残りの特定履歴に関する基本入力内容の存在表示領域および従属入力内容の存在表示領域とは異なる視覚的効果を示すようディスプレーできる。例えば、図３に示すように、証明書類を添付していない基本入力内容の存在表示領域または従属入力内容の存在表示領域に付いては、特性カテゴリと関係なく、灰色にディスプレーされるようにもできる。
【００５４】
図４および図５は、本発明の一実施例に係るユーザの履歴と関連した内容を、テキストなどを用いて入力できるようにするユーザインターフェースを例示的に示した図である。
【００５５】
図４に示したようなユーザインターフェースは、ユーザが勤務していた会社の会社名、地域、国、勤務期間、産業群、職務群、志望動機、主な業務などを入力できる領域を含んでもよい。図４では、職場に関する履歴を入力するためのユーザインターフェースであることを想定して説明したが、これに限られるものではなく、場合によっては様々な種類の履歴を入力するためのユーザインターフェースが提供できる。
【００５６】
一方、時間端緒獲得部２２０は、図４のようなユーザインターフェースを介して入力された情報のうち、ユーザが勤務していた期間に関する内容から、履歴に関する時系列的開始点または時系列的終了点に対する情報を取得することができる。また、ユーザ情報公開部２３０は、図４のようなユーザインターフェースを介して入力された情報の中で産業群、職務群などの情報から、基本入力内容の存在表示領域および従属入力内容の存在表示領域がどのような視覚的効果を持つようにしてディスプレーされるようにするかを決定することができる。例えば、該当基本入力内容の存在表示領域および従属入力内容の存在表示領域に対してディスプレーされる色が決定できる。
【００５７】
図５は、ユーザによって、ユーザが勤務していた会社の会社名、地域、国、勤務期間、産業群、職務群、志望動機、主な業務などに関する内容の入力が完了した場合を説明するための図である。図５に示したように、特定履歴に対する入力が完了すると、それに対応する基本入力内容の存在表示領域６１０および従属入力内容の存在表示領域６２０、６２２、６２４、６２６、６２８、６３０が図６に示したように生成できる。ちなみに、領域６２８は基準線６００に密着しているが、従属入力内容の存在表示領域に相当し、これは領域６２８に時系列的位置(例えば、領域６１０に記載されている２０１１.１１)が記載されていないことから推測することもできる(一行にディスプレーできる従属入力内容の存在表示領域の数を超えた場合、このように新しい行を生成できることは、前述した通りである)。
【００５８】
図５および図６を参照すると、ユーザが勤務した会社の会社名、勤務期間、業種、職種、雇用形態、部署、役職、部署内の人数および志望動機などと特定履歴の基本情報５１０が入力されると、基本入力内容の存在表示領域６１０が基準線６００上のポイントの近くに位置する単位領域に生成できる。この時、特定履歴が実行された期間が、２０１１年１１月から２０１２年０７月に該当するので、前記期間に対応するポイント(例えば、開始点である２０１１年１１月を基準に領域６１０を露出する場合を図示)に生成することができる。一方、図５の主な業務５２０〜５４０および受賞歴５５０は、特定履歴の従属履歴でもよく、図６に示すように、特定履歴の従属履歴に対応する従属入力内容の存在表示領域６２０、６２２、６２４、６２６、６２８、６３０が基本入力内容の存在表示領域６１０の近くに生成できる。
【００５９】
図７は、本発明の一実施例により、基本入力内容の存在表示領域または従属入力内容の存在表示領域に対する選択があることが感知された場合を例示的に説明するための図である。
【００６０】
図７に示すように、テンプレート上にディスプレーされる基本入力内容の存在表示領域または従属入力内容の存在表示領域７１０に対する選択があることが感知されると、選択された基本入力内容の存在表示領域または従属入力内容の存在表示領域７１０に対応して記録されている履歴または目標に対する詳細内容を提供する領域７２０がディスプレーできる。ちなみに、領域７２０内の右側の下段には、複数のアイコンがディスプレーされるが、例えば、該当アイコンを選択すると、ユーザ自分の履歴などを証明するための写真、動画、ＰＤＦ文書などだけでなく、ユーザが開発したプログラムなどを確認できる画面を提供することもできる。
【００６１】
本発明の一実施例によると、ユーザ情報公開部２３０は、ユーザによって入力された履歴または目標の中、ユーザによって選択されたn個の履歴または目標については重要な履歴または重要な目標であることを示すための視覚的な表示を示すようにしてディスプレーできる。より具体的には、ユーザが重要であると選択した履歴または目標に対応する基本入力内容の存在表示領域および従属入力内容の存在表示領域が周期的に点滅する効果を示すようにできる。さらに、当該履歴または目標の詳細内容がディスプレーされる画面上では、該当履歴または目標の詳細内容上の重要な部分にハイライト(highlight)で提供される視覚的効果を示すこともできる。
【００６２】
以上説明した本発明に係る実施例は、様々なコンピュータの構成要素により実行できるプログラムの命令語の形で実現されて、コンピュータ読み取り可能な記録媒体に記録できる。前記コンピュータ読み取り可能な記録媒体は、プログラムの命令語、データファイル、データ構造などを単独、または組み合わせて含むことができる。前記コンピュータ読み取り可能な記録媒体に記録されるプログラムの命令語は、本発明のために特別に設計されて構成されたものだったり、コンピュータソフトウェア分野の当業者に公知されて使用可能なものだったりもする。コンピュータ読み取り可能な記録媒体の例としては、ハードディスク、フロッピーディスクおよび磁気テープのような磁気媒体、ＣＤ−ＲＯＭ、ＤＶＤのような光記録媒体、ＦＤ(Floptical Disk)のような磁気‐光媒体(Magneto-Optical Media)、およびＲＯＭ、ＲＡＭ、フラッシュメモリなどのようなプログラムの命令語を格納して実行するように特別に構成されたハードウェア装置が含まれる。プログラムの命令語の例としては、コンパイラによって作成されるような機械語コードだけでなく、インタプリタなどを使用して、コンピュータによって実行できる高級言語コードも含まれる。前記ハードウェア装置は、本発明に係る処理を実行するための１つ以上のソフトウェアモジュールとして動作するように構成されてもよく、その逆も同様である。
【００６３】
以上から、本発明が具体的な構成要素などのような特定の事項と限定された実施例および図面によって説明したが、これは本発明のより全般的な理解を助けるために提供されるのみのものであり、本発明が前記実施例に限定されるものではなく、本発明が属する技術分野で通常の知識を有する者であれば、このような記載から多様な修正および変形を図ることができる。
【００６４】
したがって、本発明の思想は前記説明した実施例に限定されて決められるのではなく、後述する特許請求の範囲や該特許請求の範囲と均等にまたは等価的に変形されたすべてのものは、本発明の思想の範疇に属すると言える。
【図１】
2017504882.tif 000003
【図２】
2017504882.tif 000004
【図３】
2017504882.tif 000005
【図４】
2017504882.tif 000006
【図５】
2017504882.tif 000007
【図６】
2017504882.tif 000008
【図７】
2017504882.tif 000009
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
ユーザの履歴書作成に関する情報を記録および管理するためのユーザインターフェースを提供する方法において、
(ａ)サーバーが、時系列的意味を含んでいる基準線を提供する段階と、
(ｂ)前記サーバーは、ユーザによって新規の履歴または新規の目標に関する入力が完了すると、前記履歴または前記目標に関連する時系列的開始点または時系列的終了点に関する情報を取得する段階と、
(ｃ)前記サーバーは、前記取得された時系列的開始点または時系列的終了点に関する情報を参考にして、これに対応する前記基準線上のポイントまたは前記ポイントの近くに前記履歴または前記目標と関連した内容が入力されたことを表示するための基本入力内容の存在表示領域をディスプレーする段階とを含み、
前記基本入力内容の存在表示領域は、前記基本入力内容の存在表示領域が該当する履歴の特性カテゴリに対応する視覚的効果を有するようにディスプレーされ、
前記特性カテゴリに該当する前記基本入力内容の存在表示領域が有する視覚的な効果は、前記特性カテゴリと異なる特性カテゴリに該当する他の基本入力内容の存在表示領域が有する視覚的効果と差別されることを特徴とする方法。
【請求項２】
(ｄ)前記サーバーは、前記ディスプレーされた基本入力内容の存在表示領域に対する選択があることが感知されると、前記選択された基本入力内容の存在表示領域に応じて記録されている、前記履歴または前記目標に関する詳細内容を提供する段階をさらに含む、請求項１に記載の方法。
【請求項３】
前記基本入力内容の存在表示領域は、前記履歴の特性カテゴリに応じて、該当領域内の色を異なってディスプレーされるようにすることを特徴とする、請求項１に記載の方法。
【請求項４】
前記基本入力内容の存在表示領域は、前記履歴の特性カテゴリの上位概念および下位概念に応じて、該当領域の枠の色と該当領域内の色を異なってディスプレーされるようにすることを特徴とする、請求項３に記載のユーザインターフェースを提供する方法。
【請求項５】
(ｅ)前記サーバーは、特定履歴に関する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーする段階をさらに含むことを特徴とする、請求項１に記載の方法。
【請求項６】
前記(ｅ)段階は、前記特定履歴に属する従属履歴に対する入力が完了した後、前記特定履歴に関する基本入力内容の存在表示領域に対する選択があることが感知されると、前記特定履歴と関連する前記基本入力内容の存在表示領域の近くに、前記従属履歴と関連した内容が入力されたことを表示するための従属入力内容の存在表示領域をディスプレーすることを特徴とする、請求項５に記載の方法。
【請求項７】
前記特定履歴に関連する基本入力内容の存在表示領域および前記特定履歴に属する従属履歴に関する従属入力内容の存在表示領域は、同一の視覚的効果を持つことをデフォルトとするが、前記特定履歴に該当する特性カテゴリに応じて、これに対応する視覚的な効果を持ちながらも、他の特性カテゴリを持つ領域とは差別されるようにしてディスプレーされるようにすることを特徴とする、請求項５に記載の方法。
【請求項８】
前記特定履歴に関する基本入力内容の存在表示領域および前記特定履歴に属する従属履歴に関する従属入力内容の存在表示領域は、前記特定履歴に該当する特性カテゴリに応じて、該当領域内の色を他の特性カテゴリを持つ領域と差別されるようにしてディスプレーされるようにすることを特徴とする、請求項７に記載の方法。
【請求項９】
前記特定履歴と関連する基本入力内容の存在表示領域および前記特定履歴に属する従属履歴と関連する従属入力内容の存在表示領域は、前記特定履歴に該当する特性カテゴリの上位概念および下位概念に応じて、該当領域の枠の色と該当領域内の色とを、他の特性カテゴリを持つ領域と差別されるようにしてディスプレーされるようにすることを特徴とする、請求項８に記載の方法。
【請求項１０】
前記特定履歴と関連する基本入力内容の存在表示領域および前記特定履歴に属する従属履歴と関連する従属入力内容の存在表示領域のうち、前記特定履歴に関する証明書類を添付していない領域については、残りの前記特定履歴に関する基本入力内容の存在表示領域および従属入力内容の存在表示領域とは異なる視覚的効果を示すようにディスプレーすることを特徴とする、請求項７に記載の方法。
【請求項１１】
(ｆ)前記サーバーは、前記基本入力内容の存在表示領域および前記従属入力内容の存在表示領域のそれぞれに対応する履歴と関連して、該当する履歴を証明するためのコンテンツを添付することができるユーザインターフェースを提供する段階をさらに含むことを特徴とする、請求項５に記載の方法。
【請求項１２】
前記ユーザによって入力された履歴または目標のうち、前記ユーザによって選択されたｎ個の履歴または目標については、重要な履歴または重要な目標であることを示すための視覚的表示を示すようにしてディスプレーできることを特徴とする、請求項１に記載の方法。
【請求項１３】
前記ユーザによって選択されたｎ個の履歴または目標については、周期的に該当基本入力内容の存在表示領域が点滅する効果を示すようにするか、該当履歴または目標の詳細内容上の重要部分にハイライトで効果を示すようにしてディスプレーすることを特徴とする、請求項１２に記載の方法。
【請求項１４】
前記基準線を基準にして一方には、学業、職場、およびこれらと関連する目標に関する基本入力内容の存在表示領域がディスプレーされるようにし、前記基準線を基準にして他方には、学業、職場、およびこれらと関連する目標を除いた履歴および目標に関する基本入力内容の存在表示領域がディスプレーされるようにすることを特徴とする、請求項１に記載の方法。
【請求項１５】
特定履歴に対する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーするが、前記基準線を基準にして同一側にディスプレーされるようにすることを特徴とする、請求項１４に記載の方法。
【請求項１６】
前記ユーザの履歴と関連した内容を入力できるようにするユーザインターフェースを提供する画面を、前記基準線および前記基本入力内容の存在表示領域がディスプレーされる画面とは異なる別の画面として提供するが、前記ユーザの履歴と関連した内容を入力できるようにするユーザインターフェースを提供する画面により入力された情報から、前記履歴に関する時系列的開始点または時系列的終了点に関する情報を取得することを特徴とする、請求項１に記載の方法。
【請求項１７】
前記基本入力内容の存在表示領域および前記従属入力内容の存在表示領域が全くない状態でも前記基準線はディスプレーされており、それとともに内容が空いている状態の格子形の単位領域が互いに繋がっている形態でディスプレーされていることを特徴とする、請求項５に記載の方法。
【請求項１８】
前記基本入力内容の存在表示領域および前記従属入力内容の存在表示領域が生成されるときに、前記生成される基本入力内容の存在表示領域および従属入力内容の存在表示領域に該当する履歴または目標に関する時系列的開始点または時系列的終了点に対する情報を参考にして決定される特定単位領域により、前記基本入力内容の存在表示領域および前記従属入力内容の存在表示領域がディスプレーされるようにすることを特徴とする、請求項１７に記載の方法。
【請求項１９】
前記ディスプレーされている格子形の単位領域の画面状態で、前記ユーザによって選択される特定単位領域により、前記基本入力内容の存在表示領域および前記従属入力内容の存在表示領域がディスプレーされるようにすることを特徴とする、請求項１７に記載の方法。
【請求項２０】
前記単位領域のそれぞれは六角形の形を有し、互いに隣接する単位領域と密着した形でディスプレーされることを特徴とする、請求項１７に記載の方法。
【請求項２１】
前記新規の目標に関する入力が完了すると、前記入力された目標に対応する基本入力内容の存在表示領域には、前記目的がまだ達成していないことを視覚的に表示する効果がディスプレーされることを特徴とする、請求項１に記載の方法。
【請求項２２】
前記目標に関する基本入力内容の存在表示領域が生成されると、ｋ回にわたって編集する権限を付与するが、削除権限は与えないことを特徴とする、請求項１に記載の方法。
【請求項２３】
ユーザの履歴書作成に関する情報を記録および管理するためのユーザインターフェースをユーザ端末に提供するためのサーバーにおいて、
時系列的な意味を含む基準線およびユーザによって新規の履歴または新規の目標と関連した内容が入力されたことを表示するための基本入力内容の存在表示領域を、前記基準線と連動して表示するためのテンプレートを提供するテンプレート提供部と、
前記ユーザにより新規の履歴または新規の目標に関する入力が完了すると、前記履歴または前記目標に関する時系列的開始点または時系列的終了点に対する情報を取得する時間端緒獲得部と、
前記ユーザにより新規の履歴または新規の目標に関する入力が完了すると、前記時間端緒獲得部によって取得された時系列的開始点または時系列的終了点に関する情報を参考にして、これに対応する前記基準線上のポイントまたは前記ポイントの近くに前記履歴または前記目標と関連した内容が入力されたことを表示するための基本入力内容の存在表示領域を前記テンプレート提供部によって提供される、前記テンプレートの基準に基づいてディスプレーするユーザ情報公開部と、を含み、
前記ユーザ情報公開部は、
前記基本入力内容の存在表示領域が、前記基本入力内容の存在表示領域に該当する履歴の特性カテゴリに対応する視覚的効果を持ちながらディスプレーされるようにし、
前記ユーザ情報公開部は、前記特性カテゴリに該当する前記基本入力内容の存在表示領域が有する視覚的効果が、前記特性カテゴリと異なる特性カテゴリに該当する他の基本入力内容の存在表示領域が有する視覚的効果と差別されるようにすることを特徴とするサーバー。
【請求項２４】
前記ユーザ情報公開部は、
前記履歴の特性カテゴリ別に前記基本入力内容の存在表示領域の色を異なってディスプレーされるようにすることを特徴とする、請求項２３に記載のサーバー。
【請求項２５】
前記ユーザ情報公開部は、
特定履歴に関する基本入力内容の存在表示領域が生成された後、前記特定履歴に属する従属履歴に関する入力が完了すると、前記特定履歴に関する前記基本入力内容の存在表示領域の近くに前記従属履歴と関連した内容が入力されたことを表示するための従属入力内容の存在表示領域をディスプレーすることを特徴とする、請求項２３に記載のサーバー。
【請求項２６】
前記ユーザ情報公開部は、
前記特定履歴に関する基本入力内容の存在表示領域および前記特定履歴に属する従属履歴に関する従属入力内容の存在表示領域を同一の視覚効果を持つようにしてディスプレーすることをデフォルトとするが、前記特定履歴に該当する特性カテゴリに応じて、これに対応する視覚的効果を持ちながらも、他の特性カテゴリを持つ領域とは差別されるようにしてディスプレーされるようにすることを特徴とする、請求項２５に記載のサーバー。
【請求項２７】
前記ユーザ情報公開部は、
前記特定履歴に関する基本入力内容の存在表示領域および前記特定履歴に属する従属履歴に関する従属入力内容の存在表示領域を前記特定履歴に該当する特性カテゴリに応じて、該当領域内の色を他の特性カテゴリを持つ領域と差別されるようにしてディスプレーされるようにすることを特徴とする、請求項２６に記載のサーバー。
【請求項２８】
前記ユーザ情報公開部は、
前記基準線を基準にして一方には、学業、職場、およびこれらと関連する目標に関する基本入力内容の存在表示領域がディスプレーされるようにして、前記基準線を基準にして他方には、学業、職場、およびこれらと関連する目標を除く履歴および目標に関する基本入力内容の存在表示領域が表示されるようにすることを特徴とする、請求項２３に記載のサーバー。
【請求項２９】
前記テンプレートを提供部は、
前記基本入力内容の存在表示領域および前記従属入力内容の存在表示領域が全く生成されていない状態でも、前記基準線がディスプレーされるようにしており、それとともに、内容が空いている状態の格子形の単位領域がディスプレーされるようにしていることを特徴とする、請求項２５に記載のサーバー。
【請求項３０】
前記ユーザ情報公開部は、
前記ディスプレーされている格子形の単位領域の画面状態で、前記ユーザによって選択される特定単位領域に前記基本入力内容の存在表示領域および前記従属入力内容の存在表示領域が生成されるようにすることを特徴とする、請求項２９に記載のサーバー。
【国際調査報告】
2017504882.tif 000010
2017504882.tif 000011
2017504882.tif 000012
2017504882.tif 000013